Podtech/llm-jp-corpus-v4-ja_patent huggingface dataset:
【手続補正書】
【提出日】平成18年1月18日(2006.1.18)
【手続補正１】
【補正対象書類名】明細書
【補正対象項目名】特許請求の範囲
【補正方法】変更
【補正の内容】
【特許請求の範囲】
【請求項１】  底壁、離隔した前壁及び後壁並びに第１及び第２の側壁を有し、敷き材を保持する敷き材室と、
敷き材室の内部の障害物を検知する第１のセンサーであって、送信機と受信機とを有し、送信機が発生する出力信号を受信機が検知し、送信機は第１の側壁上に、受信機は第２の側壁上に位置する第１のセンサーとを有し、
第１のセンサーの送信機が発生する出力信号は第１の側壁から第２の側壁へ延びる三角形のビーム拡散領域を発生させ、
第１のセンサーから離隔し、敷き材室の内部の障害物を検知する第２のセンサーであって、送信機と受信機とを有し、送信機が発生する出力信号を受信機が検知し、この送信機は第２の側壁上に、この受信機は第１の側壁上に位置する第２のセンサーをさらに有し、
第２のセンサーの送信機が発生する出力信号は第２の側壁から第１の側壁へ延びる三角形のビーム拡散領域を発生させ、
第１のセンサーの送信機が発生するビーム拡散領域は第２のセンサーの送信機が発生するビーム拡散領域に隣接するがそれとオーバーラップしないため、第１と第２のセンサーがそれぞれ独立に動作してビーム拡散領域にある障害物を別個に検知する敷き材箱。
【請求項２】  第１及び第２の送信機はそれぞれ赤外線出力信号を発生する請求項１の敷き材箱。
【請求項３】  第１及び第２の受信機は赤外線フォトセル検知器である請求項１の敷き材箱。
【請求項４】  敷き材箱と併用される排泄物容器であって、
排泄物容器は、猫が敷き材箱から出た後に、敷き材箱から除去される敷き材の塊を受け、排泄物容器上に散在する粒状の敷き材を集めるために使用され、
排泄物容器は、底壁、一対の側壁、一対の端壁及び排泄物溜め領域を形成する枢動可能な頂部を有し、この頂部は閉位置と開位置との間で可動であり、
排泄物容器はさらに排泄物溜め領域内のライナーを有し、ライナーは枢動可能な頂部の開位置で敷き材箱から除去される敷き材の塊を受けて枢動可能な頂部の閉位置で敷き材の塊を保持するポケットを有し、
排泄物容器の枢動可能な頂部は、開位置に来ると、枢動可能な頂部上に散在する粒状の敷き材を排泄物溜め領域へ送り込む開口を有し、粒状の敷き材はライナーのポケットに保持される敷き材の塊とは別個に排泄物溜め領域内に保持される排泄物容器。
【請求項５】  ライナー及び粒状の敷き材を受けるために排泄物溜め領域内に位置する取外し可能な敷き材トレーをさらに備えた請求項４の排泄物容器。
【請求項６】  ライナーは一対の側壁と一対の端壁とを有し、これらの壁は敷き材の塊を受ける開口を有するポケットを形成する請求項５の排泄物容器。
【請求項７】  ライナーはポケットの開口をカバーするフラップ部分を有し、フラップ部分は排泄物容器の枢動可能な頂部に連結されて、枢動可能な頂部が閉位置と開位置との間で移動するとポケットを開閉するように構成されている請求項６の排泄物容器。
【請求項８】  ライナーは、排泄物溜め領域から敷き材を取出してポケットを密封するための一対の取っ手を有する請求項６の排泄物容器。
【請求項９】  敷き材を入れる敷き材室を画定する底面、前壁、後壁及び第１及び第２の側壁を有し、ペットの排泄物を集積させる敷き材箱であって、
第１及び第２の端部を有し、第１の側壁から第２の側壁へ延び、前壁と後壁との間で可動であり、複数の枝部を有するバーを有するレーキと、
バーに固着されて、前壁と後壁の間で摺動可能なようにバーの第１及び第２の端部を支持し、中空の内部と、開口とを備えたポストを有するレーキ支持体と、
バーの第１及び第２の端部に連結されてレーキ支持体の開口と摺動可能に係合することにより、バーが締結具を使用することなしにレーキ支持体と選択的に連結可能で、重力によりレーキ支持体内に維持されるようにするレーキアームとより成る敷き材箱。
【請求項１０】  枝部は金属より成る請求項９の敷き材箱。
【請求項１１】  枝部はクロムの被覆を有する請求項１０の敷き材箱。
【請求項１２】  枝部はテフロンの被覆を有する請求項１０の敷き材箱。
【請求項１３】  枝部はナイロンの被覆を有する請求項１０の敷き材箱。
【請求項１４】  枝部はプラスチックより成る請求項９の敷き材箱。
【請求項１５】  枝部はクロムの被覆を有する請求項１４の敷き材箱。
【請求項１６】  枝部はテフロンの被覆を有する請求項１４の敷き材箱。
【請求項１７】  枝部はナイロンの被覆を有する請求項１４の敷き材箱。
【請求項１８】  レーキアームはポストの中空の内部と摩擦係合する請求項９の敷き材箱。
【請求項１９】  複数の枝部は、バーがレーキ支持体により支持されるとレーキ支持体と角度を成す請求項９の敷き材箱。
【請求項２０】  猫の排泄物を集積させる敷き材箱であって、
開いた頂部、底壁、前壁、後壁及び一対の側壁を有する敷き材皿と、
敷き材皿の近くで猫の排泄物を溜める排泄物容器と、
敷き材皿に隣接してその敷き材皿の開いた頂部をカバーするフードとより成り、
フードは第１と第２の位置の間で作動可能な部分を有し、前記部分は、第１の位置において、排泄物容器の上方に延びて臭気を排泄物容器からフードへ差し向け、第２の位置において、フードを取外すことなく排泄物容器へのアクセスを可能にする敷き材箱。
【請求項２１】  フードはフィルターを有し、前記部分が第１の位置にある時は、排泄物容器からの臭気がフィルターへ送られる請求項２０の敷き材箱。
【請求項２２】  前記部分は半透明である請求項２０の敷き材箱。
【手続補正書】
【提出日】平成18年4月27日(2006.4.27)
【手続補正１】
【補正対象書類名】明細書
【補正対象項目名】特許請求の範囲
【補正方法】変更
【補正の内容】
【特許請求の範囲】
【請求項１】
対象物（１６）の縮小撮像範囲画像を再構成するための方法であって、
ａ）対象物（１６）の較正画像を収集する工程と、
ｂ）前記較正画像内で対象物（１６）のエッジを見つける工程と、
ｃ）前記較正画像内で見つけたエッジを使用して、縮小撮像範囲画像内の一ピクセル位置においてエイリアシング複製の第１の数を算出する工程と、
ｄ）前記エイリアシング複製の第１の数を使用して前記縮小撮像範囲画像をアンラッピングして、アンラッピングされた画像を生成する工程と、
ｅ）前記アンラッピングされた画像内で対象物（１６）のエッジを見つける工程と、
ｆ）前記アンラッピングされた画像内で見つけたエッジを使用して、前記縮小撮像範囲画像内の前記ピクセル位置においてエイリアシング複製の第２の数を算出する工程と、
ｇ）前記エイリアシング複製の第２の数を使用して前記縮小撮像範囲画像をアンラッピングして、新しいアンラッピングされた画像を生成する工程と、
を有している方法。
【請求項２】
更に、前記工程ｅ）〜ｇ）を所定回数繰り返す工程を含んでいる、請求項１記載の方法。
【請求項３】
更に、前記の最初のアンラッピングされた画像と新しいアンラッピングされた画像とを比較して、差を決定する工程と、
前記差が所定のレベル以下になるまで前記工程ｅ）〜ｇ）を繰り返す工程と、を含んでいる請求項１記載の方法。
【請求項４】
対象物の画像を再構成するための方法であって、
ａ）対象物（１６）の較正画像を収集する工程と、
ｂ）対象物（１６）の縮小撮像範囲画像を収集する工程であって、該縮小撮像範囲画像は位相エンコーディング軸に沿って撮像範囲寸法Ｄを持っている、当該工程と、
ｃ）前記較正画像を使用してコイル感度を算出する工程と、
ｄ）前記較正画像内で対象物（１６）のエッジを見つける工程と、
ｅ）前記較正画像内で見つけたエッジを使用して、縮小撮像範囲画像内の一ピクセル位置においてエイリアシング複製の第１の数を算出する工程と、
ｆ）前記エイリアシング複製の第１の数及びコイル感度で第１の感度マトリクスを集成する工程と、
ｇ）前記第１の感度マトリクスを使用して前記縮小撮像範囲画像をアンラッピングして、アンラッピングされた画像を生成する工程と、
ｈ）前記アンラッピングされた画像内で対象物（１６）のエッジを見つける工程と、
ｉ）前記アンラッピングされた画像内で見つけたエッジを使用して、前記縮小撮像範囲画像内の前記ピクセル位置においてエイリアシング複製の第２の数を算出する工程と、
ｊ）前記エイリアシング複製の第２の数及びコイル感度で第２の感度マトリクスを集成する工程と、
ｋ）前記第２の感度マトリクスを使用して前記縮小撮像範囲画像をアンラッピングして、新しいアンラッピングされた画像を生成する工程と、
を有している方法。
【請求項５】
更に、前記工程ｈ）〜ｋ）を所定回数繰り返す工程を含んでいる、請求項４記載の方法。
【請求項６】
更に、前記の最初のアンラッピングされた画像と新しいアンラッピングされた画像とを比較して、差を決定する工程と、
前記差が所定のレベル以下になるまで前記工程ｈ）〜ｋ）を繰り返す工程と
を含んでいる請求項４記載の方法。
【請求項７】
対象物の縮小撮像範囲画像を再構成するための機械読取り可能なコンピュータ・プログラム・コードでエンコードされた記憶媒体であって、以下の工程ａ）〜ｆ）を含む方法をコンピュータに実行させる命令を含んでいる記憶媒体。
ａ）対象物（１６）の較正画像を使用して対象物（１６）のエッジを見つける工程と、
ｂ）前記較正画像内で見つけたエッジを使用して、縮小撮像範囲画像内の一ピクセル位置においてエイリアシング複製の第１の数を算出する工程と、
ｃ）前記エイリアシング複製の第１の数を使用して前記縮小撮像範囲画像をアンラッピングして、アンラッピングされた画像を生成する工程と、
ｄ）前記アンラッピングされた画像内で前記対象物（１６）のエッジを見つける工程と、
ｅ）前記アンラッピングされた画像内で見つけたエッジを使用して、前記縮小撮像範囲画像内の前記ピクセル位置においてエイリアシング複製の第２の数を算出する工程と、
ｆ）前記エイリアシング複製の第２の数を使用して前記縮小撮像範囲画像をアンラッピングして、新しいアンラッピングされた画像を生成する工程。
【請求項８】
前記方法が更に前記工程ｄ）〜ｆ）を所定回数繰り返す工程を含んでいる、請求項７記載の記憶媒体。
【請求項９】
対象物の画像を再構成するための装置であって、
対象物（１６）の較正画像及び縮小撮像範囲画像を収集する手段と、コンピュータ（１０７）とを有し、該コンピュータが、
ａ）較正画像内で対象物（１６）のエッジを見つけ、
ｂ）前記較正画像内で見つけたエッジを使用して、縮小撮像範囲画像内の一ピクセル位置においてエイリアシング複製の第１の数を算出し、
ｃ）前記エイリアシング複製の第１の数を使用して前記縮小撮像範囲画像をアンラッピングして、アンラッピングされた画像を生成し、
ｄ）前記アンラッピングされた画像内で対象物（１６）のエッジを見つけ、
ｅ）前記アンラッピングされた画像内で見つけたエッジを使用して、前記縮小撮像範囲画像内の前記ピクセル位置においてエイリアシング複製の第２の数を算出し、
ｆ）前記エイリアシング複製の第２の数を使用して前記縮小撮像範囲画像をアンラッピングして、新しいアンラッピングされた画像を生成するように構成されていること、を特徴とする装置。
【請求項１０】
前記コンピュータ（１０７）は更に、前記較正画像内で見つけたエッジを拡張するように構成されている、請求項９に記載の装置。
【手続補正書】
【提出日】平成18年4月27日(2006.4.27)
【手続補正１】
【補正対象書類名】明細書
【補正対象項目名】特許請求の範囲
【補正方法】変更
【補正の内容】
【特許請求の範囲】
【請求項１】
２つの端部リングを該端部リングの面と直角に配置した複数のラングによって接続して備えている無線周波数（ＲＦ）コイルと、
前記ＲＦコイルの周りに配置されており、ソレノイドコイルとして巻き付けた傾斜導体を備えた傾斜コイルであって、該ソレノイドコイル内には該導体の一部分が交差する各端部リングの上側に１つのギャップが存在するような傾斜コイルと、
を備える磁気共鳴イメージング・システム。
【請求項２】
前記ソレノイドコイルは、前記傾斜コイルが傾斜導体の１つのセグメントによって接続されて対称なスパイラル巻き接続用配線を形成する正の半分と負の半分を含むように、該傾斜コイルが形成する磁場のアイソセンタの周りに対称である、請求項１に記載の磁気共鳴イメージング・システム。
【請求項３】
２つの端部リングを該端部リングの面と直角に配置した複数のラングによって接続して備えている無線周波数（ＲＦ）コイルと、
前記ＲＦコイルの周りに配置されておりソレノイドコイルとして巻き付けた傾斜導体を備えた傾斜コイルであって、該傾斜コイルが傾斜導体の１つのセグメントによって接続されて対称なスパイラル巻き接続用配線を形成する正の半分と負の半分を含むように、該ソレノイドコイルは該傾斜コイルが形成する磁場のアイソセンタの周りに対称であるような該傾斜コイルと、
を備える磁気共鳴イメージング・システム。
【請求項４】
一対の端部リングを該端部リングの面と直角に配置した複数の間隔をおいたラングによって接続して備えて全体として１つの内筒を形成しているバードケージ無線周波数（ＲＦ）コイルと、
ソレノイドコイルを形成するように巻き付けた導電性素子を備えている、前記内筒の周りに配置して全体として１つの外筒を形成している傾斜コイルであって、該ソレノイドコイル内にはＲＦコイルの各端部リングの上側に１つのギャップが存在しており、かつ該ソレノイドコイルの巻き線は該コイルを２等分する横断面の位置で反転するようにして、各ギャップと交差するような最小量の導電性素子が使用されると共に、横断面と交差する該導電性素子は反転の前に半周の倍数単位で前記内筒を周回している対称なスパイラル巻きセグメントを備えているような傾斜コイルと、
を備える磁気共鳴イメージング・システム。
【請求項５】
ソレノイドコイルとして巻き付けた導体を備えているＭＲイメージング・システムの全身用ＲＦコイルと共に使用される傾斜コイルであって、該ソレノイドコイルの巻き線は、第１の巻き線及び反転した第２の巻き線を形成するように該傾斜コイルが発生させる磁場のアイソセンタに位置する横断面で反転しており、該第１の巻き線から第２の巻き線への遷移は反転の前に少なくとも半周だけ全身用ＲＦコイルの周りを通過している導体のスパイラル巻きセグメントによって達成されているような傾斜コイル。
【請求項６】
ＭＲイメージング・システムの全身用ＲＦコイルと共に使用されるコイルであって、その巻き線が第１の巻き線及び反転した第２の巻き線を形成するように該コイルが発生させる磁場のアイソセンタに位置する横断面で反転しているソレノイドコイルとして巻き付けた導体を備えると共に、さらに前記横断面の各側に各１つある一対のギャップであって、該ギャップの各々は前記ソレノイドコイルが全身用ＲＦコイルの一対の端部リングの上側に巻き付けられないように配置されると共に最小量の導体材料が各ギャップと交差するようにしている一対のギャップを備えているコイル。
【請求項７】
傾斜コイルと無線周波数（ＲＦ）コイルの間のカップリングを低下させるような傾斜コイルの巻き付け方法であって、
ソレノイドコイルを形成するように前記ＲＦコイルの周りに導体を巻き付ける動作と、
傾斜コイルが発生した傾斜磁場に関する所望のアイソセンタ位置に近づくに従ってスパイラル状に導体を形成する動作であって、該スパイラルは反転の前に半周の増分単位でＲＦコイルの周りを通過している形成動作と、
所望のアイソセンタの周りに対称なソレノイドコイルを形成させ該対称なソレノイドコイルの一部として逆向きのスパイラルを形成させるように、該所望のアイソセンタ位置で前記ソレノイドコイルの巻き線を反転させる動作と、
を含む方法。
【請求項８】
傾斜コイルと無線周波数（ＲＦ）コイルの間のカップリングを低下させるような傾斜コイルの巻き付け方法であって、
ソレノイドコイルを形成するように前記ＲＦコイルの周りに導体を巻き付ける動作と、
前記導体の長さ部分と交差するように、ＲＦコイルの端部リングの周りに配置した前記ソレノイドコイルの一部分内にギャップを形成させる動作と、
傾斜コイルが発生させる傾斜磁場に関する所望のアイソセンタ位置で、該所望のアイソセンタの周りに対称なソレノイドコイルを形成させるように前記ソレノイドコイルの巻き線を反転させる動作と、
を含む方法。
【請求項９】
２つの端部リングを該端部リングの面と直角に配置した複数のラングによって接続して備えている無線周波数（ＲＦ）コイルと、
対称なソレノイドコイルとして全体に巻き付けた傾斜導体を備えているＲＦコイルの周りに配置した傾斜コイルであって、該ソレノイドコイルの巻き線は傾斜コイルが発生させる傾斜磁場の所望のアイソセンタを通る横断面との交点に対応した位置で反転しているような傾斜コイルと、
前記傾斜コイルの一部分をその下にある端部リングからデカップリングさせる手段と、
を備える磁気共鳴イメージング・システム。
【請求項１０】
２つの端部リングを該端部リングの面と直角に配置した複数のラングによって接続して備えている無線周波数（ＲＦ）コイルと、
対称なソレノイドコイルとして全体に巻き付けた傾斜導体を備えているＲＦコイルの周りに配置した傾斜コイルであって、該ソレノイドコイルの巻き線は傾斜コイルが発生させる傾斜磁場の所望のアイソセンタを通る横断面との交点に対応した位置で反転しているような傾斜コイルと、
前記傾斜導体のセグメントと前記ＲＦコイルの間の任意のカップリングが前記ラング間で実質的に均等に分布するように該カップリングを該ラング間に分布させるための手段と、
を備える磁気共鳴イメージング・システム。
【手続補正２】
【補正対象書類名】明細書
【補正対象項目名】０００９
【補正方法】変更
【補正の内容】
【０００９】
したがって、Ｚ軸傾斜を巻き付けるための改良技法が必要とされている。これまで知られているシステムの欠点に対処するために、超短尺円筒状マグネット及びＺ軸傾斜コイルの外部にＲＦシールドを利用しているシステムにおいてＺ傾斜とバードケージＲＦ全身用コイルの間の相互作用を最小限にする技法が特に必要とされている。
【特許文献１】米国特許第６４９８９４７号
【手続補正書】
【提出日】平成18年1月30日(2006.1.30)
【手続補正１】
【補正対象書類名】明細書
【補正対象項目名】請求項２
【補正方法】変更
【補正の内容】
【請求項２】  上部機構と下部機構とのそれぞれは、厚み方向に所定の寸法を有し、所定幅を有するフレームと、このフレームの一端部において、幅方向に延びる軸周りに回転可能に支持された第１主ローラと、上記フレームの他端部において、幅方向に延びる軸周りに回転可能に支持された第２主ローラと、上記フレームの一端部において、幅方向に延びる軸周りに揺動可能に連結された第１アームと、上記フレームの他端部において、幅方向に延びる軸周りに揺動可能に連結された第２アームと、上記第１アームの先端部において、幅方向に延びる軸周りに回転可能に支持された第１副ローラと、上記第２アームの先端部において、幅方向に延びる軸周りに回転可能に支持された第２副ローラとを備えており、上記ベルトは、上記第１主ローラの一面、上記第１副ローラ、上記第１主ローラの他面、上記第２主ローラの他面、上記第２副ローラ、および上記第２主ローラの一面を掛け回されて周回するように構成されている、請求項１に記載の移載装置。
【手続補正２】
【補正対象書類名】明細書
【補正対象項目名】請求項１４
【補正方法】変更
【補正の内容】
【請求項１４】  各フレームの両側部に、連結手段が設けられており、複数の移載装置が幅方向に複数連結できるようになっている、請求項２ないし１３いずれかに記載の移載装置。
【手続補正３】
【補正対象書類名】明細書
【補正対象項目名】００３０
【補正方法】変更
【補正の内容】
【００３０】
好ましい実施の形態においてはさらに、上記上部機構と下部機構とは、離接機構を介して、互いに対向する面を走行するベルトが接触しないように相互に厚み方向に離間する状態を選択できるように組み合わされている。この場合において、上記離接機構は、上部機構と下部機構の一方において、モータ駆動によって他方側に向かって立ち上がるカムと、上部機構と下部機構の他方において、上記立ち上がり状態のカムが当接させられるカム受け体とによって構成することができる。
【手続補正４】
【補正対象書類名】明細書
【補正対象項目名】００５５
【補正方法】変更
【補正の内容】
【００５５】
また、下部機構２０のフレーム２００の両側板２０３，２０４には、その下縁に沿って、連結板２１５，２１６，２１７，２１８が２箇所ずつ設けられている。ただし、一方の側板２０３に設けられる連結板２１５，２１６と、他方の側板２０４に設けられる連結板２１７，２１８とは、互いに高さ位置が違えてあり、これにより、移載装置１を複数並列させた状態において、互いに重なる連結板２１５，２１７および２１６，２１８間をボルト等を使って連結することにより、隣接する移載装置１どうしを連結して、図２４および図２５に示すような移載装置連結体１Ａを構成することができるようになっている。
【手続補正５】
【補正対象書類名】明細書
【補正対象項目名】００７４
【補正方法】変更
【補正の内容】
【００７４】
図２３は、本願発明に係る移載装置の第３の実施形態を示している。この実施形態は、上記した第２の実施形態の構成に比較し、下部機構２０の第１アームおよび第２アームを省略し、下部機構２０のベルト２０２が第１主ローラ１２４と第２主ローラ１３４の周囲に巻き掛かるようにした点が異なり、その余の点は、上記第２の実施形態と同様である。すなわち、この第３の実施形態においても、上部機構１０の第１アーム４０および第２アーム５０は、常時下方に向けて弾力付勢されているとともに、これら第１アーム４０および第２アーム５０には、それらの先端の副ローラ１２３，１３３の下面を覆う橇部材１５１が取付けられている。この実施形態においても、第２の実施形態について上述したのと同様の利点を享受できることは、容易に理解できるであろう。
【手続補正６】
【補正対象書類名】明細書
【補正対象項目名】００７９
【補正方法】変更
【補正の内容】
【００７９】
次に、患者Ｘを載せた移載装置連結体１Ａを、上記のようにして作動させて自走によってストレッチャＳ上まで移動させる（図３２、図３３）。
【手続補正７】
【補正対象書類名】明細書
【補正対象項目名】００８９
【補正方法】変更
【補正の内容】
【００８９】
たとえば、図４１および図４２に示すように、移載装置連結体１Ａの収納状態においては、移載装置連結体１Ａの第１係止棒４１１，４１２が第１の昇降機構５０Ａのフック５１４に載るように係合させられているとともに、第２係止棒４０１，４０２がフックアーム５２０に係合させられている。すなわち、移載装置連結体１Ａは、その重量が第１係止棒４１１，４１２を介して上記のフック５１４によって支持され、上記フックアーム５２０によって倒れが抑止される。同時に、第２係止棒４０１，４０２は第２の昇降機構５０Ｂのフック５３４にも係合させられており、このフック５３４は、移載装置連結体１Ａの重量の一部を支持し、かつ、移載装置連結体１Ａの倒れを防止する。
【手続補正８】
【補正対象書類名】明細書
【補正対象項目名】図３８
【補正方法】変更
【補正の内容】
【図３８】
図２４に示す移載装置連結体の変形例を示し、（ａ）は正面図、（ｂ）は平面図、（ｃ）は側面図である。
【手続補正９】
【補正対象書類名】図面
【補正対象項目名】図１
【補正方法】変更
【補正の内容】
【図１】
2004000532.tif 000001
【手続補正１０】
【補正対象書類名】図面
【補正対象項目名】図３
【補正方法】変更
【補正の内容】
【図３】
2004000532.tif 000002
【手続補正１１】
【補正対象書類名】図面
【補正対象項目名】図２３
【補正方法】変更
【補正の内容】
【図２３】
2004000532.tif 000003
【手続補正１２】
【補正対象書類名】図面
【補正対象項目名】図４１
【補正方法】変更
【補正の内容】
【図４１】
2004000532.tif 000004
【手続補正１３】
【補正対象書類名】図面
【補正対象項目名】図４２
【補正方法】変更
【補正の内容】
【図４２】
2004000532.tif 000005
【手続補正書】
【提出日】平成18年4月25日(2006.4.25)
【手続補正１】
【補正対象書類名】明細書
【補正対象項目名】００１２
【補正方法】変更
【補正の内容】
【００１２】
多くの調整可能な額支持部が、患者の快適性を向上させ、かつ最大人数の患者に対応しつつ、長持ちのする密閉を実現するという目的で開発されている。例えば、米国特許第6,119,693号（クオック、マチェットおよびグラント）は、鼻用マスクまたは顔全体用のマスクのための調節可能な額支持部を記載している。この額支持部は、異なる形状およびサイズの顔の輪郭に対して調整することができる。顔に対する封止の角度がこの発明によって調整され得る。米国特許第6,119,693号を完全にここに援用する。国際特許出願PCT/AU00/00097（WO 00/78384）号には、呼吸用マスクにしっかりと固定されるように適応可能な額支持部が開示されている。国際特許出願PCT/AU00/00097（WO 00/78384）号をここで完全に援用する。
なお、本出願に対応する外国の特許出願においては下記の文献が発見または提出されている。
【特許文献１】米国特許第５６５７７５２号明細書
【特許文献２】米国特許第６１１２７４６号明細書
【特許文献３】米国特許第５９３７８５１号明細書
【特許文献４】米国特許第６１９２８８６号明細書
【特許文献５】米国特許第６８５１４２５号明細書
【特許文献６】米国特許第６６９１７０７号明細書
【特許文献７】米国特許第５６４７３５５号明細書
【特許文献８】米国特許第６４１２４８８号明細書
【特許文献９】米国特許第６４６７４８３号明細書
【特許文献１０】米国特許出願公開第２００３／０００５９３１号明細書
【特許文献１１】米国特許第６４３５１８１号明細書
【特許文献１２】米国特許第６５６１１９１号明細書
【特許文献１３】米国特許第６６６８８３０号明細書
【特許文献１４】国際公開第００／７８３８１号パンフレット
【特許文献１５】国際公開第９７／０００９２号パンフレット
【特許文献１６】米国特許第４４１４９７３号明細書
【特許文献１７】米国特許第５２４３９７１号明細書
【特許文献１８】米国特許第６４１２４８７号明細書
【特許文献１９】米国特許出願公開第２００１／００２０４７４号明細書
【特許文献２０】米国特許出願公開第２００２／０１０８６１３号明細書
【特許文献２１】米国特許出願公開第２００２／０１４４６８４号明細書
【特許文献２２】米国特許第６５５００７０号明細書
【特許文献２３】国際公開第８７／０１９５０号パンフレット
【特許文献２４】国際公開第９８／０４３１０号パンフレット
【特許文献２５】国際公開第０１／３２２５０号パンフレット
【特許文献２６】国際公開第０１／６２３２６号パンフレット
【特許文献２７】国際公開第０２／１１８０４号パンフレット
【特許文献２８】欧州特許出願公開第１２５８２６６号明細書
【特許文献２９】仏国特許出願公開第２６１８３４０号明細書
【特許文献３０】仏国特許出願公開第２７３５０３０号明細書
【特許文献３１】英国特許出願公開第２２６４６４６号明細書
【特許文献３２】英国特許出願公開第２３７９８８６号明細書
【特許文献３３】米国特許第１６１０７９３号明細書
【特許文献３４】米国特許第２９３１３５６号明細書
【特許文献３５】米国特許第４４５４８８０号明細書
【特許文献３６】米国特許第４９４４３１０号明細書
【特許文献３７】米国特許第５２４３９７１号明細書
【特許文献３８】米国特許第５２４５９９５号明細書
【特許文献３９】米国特許第５３４９９４９号明細書
【特許文献４０】米国特許第５５３５７３９号明細書
【特許文献４１】米国特許第５７０４３４５号明細書
【特許文献４２】米国特許第５７２４９６５号明細書
【特許文献４３】米国特許第６１１９６９３号明細書
【特許文献４４】米国特許第６１１９６９４号明細書
【特許文献４５】米国特許第６３５７４４１号明細書
【特許文献４６】国際公開第９８／１２９６５号パンフレット
【特許文献４７】国際公開第９６／６１０８８号パンフレット
【特許文献４８】国際公開第００／６９５２１号パンフレット
【特許文献４９】国際公開第００／７８３８４号パンフレット
【特許文献５０】米国特許第５０９２３２４号明細書
【非特許文献１】European Search Report dated September 22,2003
【手続補正書】
【提出日】平成18年4月13日(2006.4.13)
【手続補正１】
【補正対象書類名】明細書
【補正対象項目名】０００８
【補正方法】変更
【補正の内容】
【０００８】
先に説明したような面積の広い固体検出器アレイは、医療分野での撮影、デジタル再生及び非破壊試験などのデジタル撮影への適用に関して解決策を提供する。この種の検出器はすぐれた画像データを提供するが、より一層の改善が必要である。例えば、空間分解能の高い、画素サイズの小さな検出器では、収集フレーム速度が遅くなる。更に、画素サイズが一定であれば、大型の検出器は必要とされる支援電子回路の費用の関係で一般に高価になり、また、同じ帯域幅を有する小型の検出器ほど速いフレーム速度を支援しない。特定の用途を目標とする場合、その用途に関して検出器の性能を最適にするために、検出器の設計で何らかの妥協を行うことが多い。その結果の１つは、通常は高いフレーム速度を支援する帯域幅を持たない小さな画素を含む大型の検出器である。
【特許文献１】欧州特許出願公開第ＥＰ０８３３５０５Ａ号
【手続補正書】
【提出日】平成18年4月11日(2006.4.11)
【手続補正１】
【補正対象書類名】明細書
【補正対象項目名】特許請求の範囲
【補正方法】変更
【補正の内容】
【特許請求の範囲】
【請求項１】  ２．７５ インチ−４．５０インチ（６．９９ｃｍ−１１．４３ｃｍ）の範囲の幅と１．５０インチ−２．００インチ（３．８１ｃｍ−５．０８ｃｍ）の高さを持つ前壁と、前壁の底端部から後方に３．００インチ−３．２５インチ（７．６２ｃｍ−８．２６ｃｍ）の範囲で延び、０．０４０インチ−０．１００インチ（０．１０ｃｍ−０．２５ｃｍ）の範囲の厚さを持つ底壁と、前壁の頂端部から後方に延びる頂壁と、低壁から上方に延びるリボン壁とを有し、前記底壁は前記頂壁より後方に大きく延び、前記前壁、前記リボン壁、前記底壁及び前記頂壁は開口キャビティを画成し、前記リボン壁は前記前壁より低く、前記頂壁は前記前壁から後方に前記開口キャビティの３３％未満を覆う、金属材料からなるボディを有し、
ロフト角が少なくとも１５°で、重心を通るIzz軸の回りの慣性モーメントが少なくとも２５００ｇ・ｃｍ２であるゴルフクラブヘッド。
【請求項２】  重心を通るIzz軸の回りの慣性モーメントが少なくとも２９００ｇ・ｃｍ２であり、ゴルフクラブヘッドがドライバーのクラブヘッド又はゴルフクラブヘッドが少なくとも１９°のロフト角を持ち、重心を通るIzz軸の回りの慣性モーメントが少なくとも２９００ｇ・ｃｍ２であるフェアウェイウッドクラブヘッドである請求項１に記載のゴルフクラブヘッド。
【請求項３】  ３．００インチ−３．５０インチ（７．６２ｃｍ−８．８９ｃｍ）の範囲の幅と１．３０インチ−１．７０インチ（３．３０ｃｍ−４．３２ｃｍ）の高さを持つ前壁と、前壁の底端部から後方に２．０インチ−３．０インチ（５．０８ｃｍ−７．６２ｃｍ）の範囲で延び、０．０５０インチ−０．３３０インチ（０．１３ｃｍ−０．８４ｃｍ）の範囲の厚さを持つ底壁と、前壁の頂端部から後方に延びる頂壁と、低壁から上方に延びるリボン壁とを有し、前記底壁は前記頂壁より後方に大きく延び、前記前壁、前記リボン壁、前記底壁及び前記頂壁は開口キャビティを画成する、金属材料からなるボディを有するアイアンタイプのゴルフクラブヘッドであって；
前記アイアンタイプのゴルフクラブヘッドは、ホーゼル穴の中心線から前記前壁の前側エッジまで、０．２７５インチ−０．４００インチ（０．７０ｃｍ−１．０２ｃｍ）の範囲で連続するフェースを持ち、少なくとも２９°のロフト角を持ち、重心を通るIzz軸の回りの慣性モーメントが少なくとも２６００ｇ・ｃｍ２である、アイアンタイプのゴルフクラブヘッド。
【請求項４】  ２．７５ インチ−４．５０インチ（６．９９ｃｍ−１１．４３ｃｍ）の範囲の幅と１．５０インチ−２．００インチの高さを持つ前壁と、前壁の底端部から後方に３．００インチ−３．２５インチ（７．６２ｃｍ−８．２６ｃｍ）の範囲で延び、０．０４０インチ−０．１００インチ（０．１０ｃｍ−０．２５ｃｍ）の範囲の厚さを持つ底壁と、前壁の頂端部から後方に延びる頂壁と、低壁から上方に延びるリボン壁とを有し、前記底壁は前記頂壁より後方に大きく延び、前記前壁、前記リボン壁、前記底壁及び前記頂壁は開口キャビティを画成し、前記リボン壁は前記前壁より低く、前記頂壁は前記前壁から後方に前記開口キャビティの３３％未満を覆う、ボディを有するドライバーであって、前記ドライバーは、ホーゼル穴の中心線から前記前壁の前側エッジまで、０．２５０インチ−０．４００インチ０．６４ｃｍ−１．０２ｃｍ）の範囲で連続するフェースを持ち、１５°−１８°の範囲のロフト角を持ち、重心を通るIzz軸の回りの慣性モーメントが少なくとも２９００ｇ・ｃｍ２であるドライバーと；
２．５０ インチ−４．２５インチ（６．３５ｃｍ−１０．８０ｃｍ）の範囲の幅と１．５０インチ−２．００インチ（３．８１ｃｍ−５．０８ｃｍ）の高さを持つ前壁と、前壁の底端部から後方に２．７５インチ−３．２５インチ（６．９９ｃｍ−８．２６ｃｍ）の範囲で延び、０．０４０インチ−０．１００インチ（０．１０ｃｍ−０．２５ｃｍ）の範囲の厚さを持つ底壁と、前壁の頂端部から後方に延びる頂壁と、低壁から上方に延びるリボン壁とを有し、前記底壁は前記頂壁より後方に大きく延び、前記前壁、前記リボン壁、前記底壁及び前記頂壁は開口キャビティを画成し、前記リボン壁は前記前壁より低く、前記頂壁は前記前壁から後方に前記開口キャビティの３３％未満を覆う、ボディを有する複数本のフェアウェイウッドであって、各フェアウェイウッドは、ホーゼル穴の中心線から前記前壁の前側エッジまで、０．２５０インチ−０．４００インチ（０．６４ｃｍ−１．０２ｃｍ）の範囲で連続するフェースを持ち、１９°−３０°範囲のロフト角を持ち、重心を通るIzz軸の回りの慣性モーメントが少なくとも２９００ｇ・ｃｍ２である、複数本のフェアウェイウッドと；
３．００インチ−３．５０インチ（７．６２ｃｍ−８．８９ｃｍ）の範囲の幅と１．３０インチ−１．７０インチ（３．３０ｃｍ−４．３２ｃｍ）の高さを持つ前壁と、前壁の底端部から後方に２．０インチ−３．０インチ（５．０８ｃｍ−７．６２ｃｍ）の範囲で延び、０．０５０インチ−０．３３０インチ（０．１３ｃｍ−０．８４ｃｍ）の範囲の厚さを持つ底壁と、前壁の頂端部から後方に延びる頂壁と、低壁から上方に延びるリボン壁とを有し、前記底壁は前記頂壁より後方に大きく延び、前記前壁、前記リボン壁、前記底壁及び前記頂壁は開口キャビティを画成する、金属材料からなるボディを有する複数本のアイアンであって；
前記各アイアンは、ホーゼル穴の中心線から前記前壁の前側エッジまで、０．２７５インチ−０．４００インチ（０．７０ｃｍ−１．０２ｃｍ）の範囲で連続するフェースを持ち、各アイアンは２９°−６０°の範囲のロフト角を持ち、重心を通るIzz軸の回りの慣性モーメントが少なくとも２６００ｇ・ｃｍ２である、複数のアイアンと、
からなるゴルフクラブセット。
【手続補正書】
【提出日】平成18年4月18日(2006.4.18)
【手続補正１】
【補正対象書類名】明細書
【補正対象項目名】０００３
【補正方法】変更
【補正の内容】
【０００３】
周知のＣＴイメージング・システムの構成の幾つかでは、その検出器はシンチレータ・アレイとフォトダイオード・アレイを含んだ複数のモジュールを含む。フォトダイオードは、オペレータにより入力された所望のスライス数及びスライス厚に基づいてフォトダイオード出力の合成を制御する電界効果トランジスタ（ＦＥＴ）などスイッチング・デバイスからなるアレイを含むようなスイッチ装置と結合させている。フォトダイオード出力はフレックス・ケーブル（ｆｌｅｘ  ｃａｂｌｅ）などの接続体を用いてＦＥＴを介してデータ収集システム（ＤＡＳ）に供給する。周知のイメージング・システムの１つは、ＦＥＴと接続させた６本の検出器制御線を含んだフレックス・ケーブルを含んでおり、６４種のスキャンモードをアドレス付けすることができる。より多数の医用モードのアドレス付けをするためには、より多数のスキャンモードが必要となる。
【特許文献１】米国特許公開第２００２／００５９３１２号
【手続補正書】
【提出日】平成18年4月25日(2006.4.25)
【手続補正１】
【補正対象書類名】明細書
【補正対象項目名】特許請求の範囲
【補正方法】変更
【補正の内容】
【特許請求の範囲】
【請求項１】
適応投影フィルタ処理スキーム（１００）を用いてコンピュータ断層イメージング・システム（１）が作成するＸ線画像のノイズを軽減するための方法であって、
システム情報を生成するステップ（１０２）と、
原始投影データを取得するステップ（１０４）と、
前記原始投影データのデータ特性を決定するステップ（１０６）と、
フィルタ処理済投影データを生成させるように前記システム情報及び前記データ特性に応答して前記原始投影データを処理するステップ（１０８）と、
前記フィルタ処理済投影データに応答して最終的投影データを計算するステップ（１１０）と、
を含む方法。
【請求項２】
前記生成のステップ（１０２）が、コンピュータ断層イメージング・システム（１）の特性に応答した空気較正ベクトルを生成することを含む、請求項１に記載の発明。
【請求項３】
前記生成のステップ（１０２）が、ボータイ状フィルタの効果を推定するために前記空気較正ベクトルに応答したボータイ・ベクトルを計算することを含む、請求項２に記載の発明。
【請求項４】
適応投影フィルタ処理スキーム（１００）を用いてコンピュータ断層イメージング・システム（１）が作成するＸ線画像のノイズを軽減させるように、マシン読み取り可能なコンピュータ・プログラム・コードで符号化した媒体であって、
システム情報を生成するステップ（１０２）と、
原始投影データを取得するステップ（１０４）と、
前記原始投影データのデータ特性を決定するステップ（１０６）と、
フィルタ処理済投影データを生成させるように前記システム情報及び前記データ特性に応答して前記原始投影データを処理するステップ（１０８）と、
前記フィルタ処理済投影データに応答して最終的投影データを計算するステップ（１１０）と、
を含む方法を制御装置（２２）に実現させるための命令を含んでいる媒体。
【請求項５】
前記生成のステップ（１０２）が、コンピュータ断層イメージング・システム（１）の特性に応答した空気較正ベクトルを生成することを含む、請求項４に記載の媒体。
【請求項６】
前記生成のステップ（１０２）が、ボータイ状フィルタの効果を推定するために前記空気較正ベクトルに応答したボータイ・ベクトルを計算することを含む、請求項５に記載の媒体。
【請求項７】
イメージング・システムが作成する画像のノイズを軽減するための方法であって、
イメージング・システム（１）及びスキャン対象を取得するステップと、
前記対象に応答した原始投影データを生成させるように前記イメージング・システム（１）を動作させるステップと、
前記原始投影データを処理すべきか否かを判定するために前記原始投影データを検査するステップと、
適応投影フィルタ処理スキーム（１００）を用いて前記原始投影データを処理するステップであって、該フィルタ処理スキーム（１００）は、
システム情報を生成すること（１０２）、
前記原始投影データのデータ特性を決定すること（１０６）、
フィルタ処理済投影データを生成させるように前記システム情報及び前記データ特性に応答して前記原始投影データを処理すること（１０８）、
前記フィルタ処理済投影データに応答して最終的投影データを計算すること（１１０）、
を実行しているような処理ステップと、
を含む方法。
【請求項８】
Ｘ線画像のノイズを軽減させるためのシステムであって、
対象空洞（１０）を画定しているＸ線源（４）及び放射線検出器アレイ（６）を有するガントリ（２）であって、前記Ｘ線源（４）及び前記放射線検出器アレイ（６）は前記対象空洞（１０）によって分離されるようにして該ガントリ（２）と回転式に連携しているようなガントリ（２）と、
前記対象空洞（１０）との通信を可能にするように前記ガントリ（２）と移動式に連携している対象支持構造（８）と、
適応投影フィルタ処理スキーム（１００）を有する処理デバイス（３２）であって、該フィルタ処理スキーム（１００）は、
システム情報を生成すること（１０２）、
原始投影データを取得すること（１０４）、
前記原始投影データのデータ特性を決定すること（１０６）、
フィルタ処理済投影データを生成させるように前記システム情報及び前記データ特性に応答して前記原始投影データを処理すること（１０８）、
前記フィルタ処理済投影データに応答して最終的投影データを計算すること（１１０）、
を実行しているような処理デバイス（３２）と、
を備えるシステム。
【請求項９】
適応投影フィルタ処理スキーム（１００）を用いてイメージング・システムが作成する画像のノイズを軽減させるためのシステムであって
イメージング・システム（１）と、
前記イメージング・システム（１）と連絡するように配置した対象（１２）であって、前記イメージング・システム（１）が該対象（１２）に応答した原始投影データを生成しているような対象（１２）と、
処理デバイス（３２）であって、
システム情報を生成すること（１０２）、
前記原始投影データを取得すること（１０４）、
前記原始投影データのデータ特性を決定すること（１０６）、
フィルタ処理済投影データを生成させるように前記システム情報及び前記データ特性に応答して前記原始投影データを処理すること（１０８）、
前記フィルタ処理済投影データに応答して最終的投影データを計算すること（１１０）、
を実行しているような処理デバイス（３２）と、
を備えるシステム。
【請求項１０】
前記対象（１２）が患者（１２）である、請求項９に記載のシステム。
【手続補正２】
【補正対象書類名】明細書
【補正対象項目名】０００５
【補正方法】変更
【補正の内容】
【０００５】
ノイズや統計的変動を除去するように平滑化操作を実行する際の主要な障害の１つは、実信号（ｒｅａｌ  ｓｉｇｎａｌ）変動を統計的変動から分離させる能力にある。信号データのある種の変動が統計的変動だけに起因することが再構成より前に分かっていれば、Ｘ線画像の空間分解能に影響を与えずに信号データに低域通過フィルタを適用することができる。統計的変動と実信号変動あるいは構造とに起因する変動同士の識別の手がかりは、計測した信号のノイズ特性である。ＣＴイメージングでは、広範な前処理と較正のステップを実行してアーチファクトの無い（すなわち、ノイズの無い）画像を保証している。しかしながら、これらのステップの後では統計的変動の分布を特徴付けることは極めて困難である。
【特許文献１】米国特許第５５９８４８１号
【手続補正書】
【提出日】平成18年4月26日(2006.4.26)
【手続補正１】
【補正対象書類名】明細書
【補正対象項目名】０００５
【補正方法】変更
【補正の内容】
【０００５】
したがって、従来のＣＴ検出器モジュールにおける場合と同数又はそれより少ない数のＤＡＳチャンネルでＺ方向におけるスキャン・スライスを２倍にすることを可能にしながら、Ｘ方向において検出器セルを効果的に合算する改良設計のＣＴ検出器モジュールを提供することが望ましい。
【特許文献１】米国特許第５２６２４６９号
【手続補正書】
【提出日】平成18年4月26日(2006.4.26)
【手続補正１】
【補正対象書類名】明細書
【補正対象項目名】特許請求の範囲
【補正方法】変更
【補正の内容】
【特許請求の範囲】
【請求項１】
空間エンコーディングされたＭＲデータを取得する方法であって、
目的方向に沿って次数が１よりも高い指数関係を持つ勾配磁場を印加する工程と、
前記勾配磁場の中を通るように前記目的方向に走査対象物を動かす工程と、
前記対象物が前記目的方向に連続して動いているときにＭＲデータを取得する工程と、
を含んでいる当該方法。
【請求項２】
前記勾配磁場はＺ方向に印加され、また前記勾配磁場は、任意の所与のＺ位置で前記勾配磁場の値が該所与のＺ位置の線形関数になるように一定の値を持つパルス式位相エンコーディング勾配である、請求項１記載の方法。
【請求項３】
各々が所定の繰返し期間ＴＲ内に生じる一連のＲＦパルスと、
各々のＴＲ中に印加されるときに一貫した値を持つ高次の勾配よりなる位相エンコーディング勾配と、
を有するＭＲパルス・シーケンス。
【請求項４】
更に、各ＴＲの終端部に配置され且つ相次ぐ各ＴＲにおいて一貫した値を持っていて、後続のＲＦパルスより前にスピンを位相戻しするリワインダ勾配を含んでいる請求項３記載のＭＲパルス・シーケンス。
【請求項５】
拡張したＦＯＶにわたって動いている対象物の連続撮像を行うＭＲ装置であって、
分極磁場を印加するために磁石のボアの周りに配置された複数の勾配コイルを含んでいると共に、ＭＲ像を取得するためにＲＦコイル組立体へＲＦ信号を送信するようにパルス・モジュールによって制御されるＲＦ送受信器システム及びＲＦスイッチを含んでいて、前記複数の勾配コイルのうちの少なくとも１つが高次の勾配磁場を生成するように構成されている、磁気共鳴イメージング（ＭＲＩ）システムと、
縦軸に沿って前記磁石のボア内へ出し入れするように移動可能なテーブルと、一連のＲＦパルスを送出し、該一連のＲＦパルスの各々のパルスの合間に高次の勾配磁場を印加し、前記テーブルを動かしてデータを取得するようにプログラミングされているコンピュータと、
を有しているＭＲ装置。
【請求項６】
前記コンピュータは更に、各々の周期的なテーブルの動きの後に収集されたデータか連続した像を再構成するようにプログラミングされている、請求項５記載のＭＲ装置。
【請求項７】
対象物の縦方向にＦＯＶを拡張してＭＲ像を取得する方法であって、
走査対象物の運動方向を規定する工程と、
縦軸が前記運動方向に沿って位置決めされるように前記対象物を配置する工程と、
前記運動方向に非線形勾配磁場を印加する工程と、
前記印加した非線形勾配磁場の中を通るように前記対象物を動かす工程と、
前記運動方向の空間エンコーディングによりｋ空間データを取得する工程と、を有している方法。
【請求項８】
前記高次の勾配が空間Ｚ２勾配であり、前記対象物を動かす工程が更に、前記対象物を所与の距離ΔＺ動かすものとして規定されている、請求項７記載の方法。
【請求項９】
コンピュータによって実行されたときに、コンピュータに以下の動作を行わせる命令、すなわち、
Ａ）撮像対象物へ向けてＲＦ信号の送信を開始させ、
Ｂ）高次の勾配コイルを付勢させ、
Ｃ）ＭＲデータを取得させ、
Ｄ）前記撮像対象物を動かし、
Ｅ）前記工程Ａ〜Ｄを、運動方向と一致する前記撮像対象物の所望の長さに沿って充分なＭＲデータが取得されるまで繰り返させ、
Ｆ）前記所望の長さの前記対象物の連続した像を再構成させる
命令を有しているコンピュータ・プログラム。
【請求項１０】
拡張したＦＯＶによりＭＲ像を取得する方法であって、
ＭＲスキャナの特性に基づいてデフォルトＦＯＶを規定する工程と、
前記デフォルトＦＯＶよりも大きい所望のＦＯＶを規定する工程と、
前記ＭＲスキャナに通すように対象物を動かすための運動軸を規定する工程と、
非線形勾配磁場を印加する工程と、
前記運動軸に沿って前記非線形勾配磁場の中を通るように前記対象物を動かす工程と、
前記所望のＦＯＶにわたってｋ空間データを取得して、前記所望のＦＯＶにわたって連続した像を再構成する工程と、
を有している方法。
【手続補正２】
【補正対象書類名】明細書
【補正対象項目名】０００６
【補正方法】変更
【補正の内容】
【０００６】
従って、ｋ空間又は像空間においてデータを継ぎ合わせ（ｐａｔｃｈ）することを必要とせずに、対象物が磁石内を通っている間に該対象物を走査することのできる方法及び装置を提供することは望ましいと考えられる。
【特許文献１】米国特許第６０１１３９２号
【手続補正書】
【提出日】平成18年4月3日(2006.4.3)
【手続補正１】
【補正対象書類名】明細書
【補正対象項目名】特許請求の範囲
【補正方法】変更
【補正の内容】
【特許請求の範囲】
【請求項１】  少なくとも１つのポリリン酸とコラーゲンとが結合してなる、ポリリン酸−コラーゲン複合体。
【請求項２】  ポリリン酸が、一般式 (PnO3n+1)(n+2)-（式中、ｎは２〜５０００の整数を表す）で示される少なくとも１種のものである、請求項１記載の複合体。
【請求項３】  ポリリン酸が直鎖縮合ポリリン酸である請求項２記載の複合体。
【請求項４】  式中のｎが２０〜２０００の整数である、請求項２又は３記載の複合体。
【請求項５】  コラーゲンがアテロコラーゲンである、請求項１〜４のいずれか１項記載の複合体。
【請求項６】  ポリリン酸：コラーゲンの重量比が０．１％：９９．９％〜２０％：８０％である、請求項１〜５のいずれか１項記載の複合体。
【請求項７】  請求項１〜６のいずれか１項記載の複合体を含有する組織再生促進用医療材料。
【請求項８】  請求項１〜６のいずれか１項記載の複合体を含有する歯周病治療用医療材料。
【請求項９】  濃度が０．５〜１０重量％のポリリン酸溶液と、濃度が０．１〜１０重量％のコラーゲン溶液とを混合し、生成される析出物を採取することを特徴とする、ポリリン酸−コラーゲン複合体の製造方法。
【請求項１０】  pH５．０〜８．０の条件下で混合を行う、請求項９記載の方法。
【請求項１１】  ポリリン酸溶液が、一般式 Hn+2PnO3n+1（式中、ｎは２〜５０００の整数を表す）で示される少なくとも１種のポリリン酸又はその塩の溶液である、請求項９又は１０記載の方法。
【請求項１２】  式中のｎが２０〜２０００の整数である、請求項１１記載の方法。
【請求項１３】  ポリリン酸溶液が平均鎖長６０〜７０のポリリン酸又はその塩の溶液である、請求項９〜１１のいずれか１項記載の方法。
【請求項１４】  コラーゲン溶液に含まれるコラーゲンが水溶性コラーゲンである、請求項９〜１３のいずれか１項記載の方法。
【請求項１５】  コラーゲン溶液に含まれるコラーゲンがアテロコラーゲンである、請求項１４記載の方法。
【請求項１６】  ポリリン酸−コラーゲン複合体のポリリン酸：コラーゲンの重量比が０．１％：９９．９％〜２０％：８０％である、請求項９〜１５のいずれか１項記載の方法。
【請求項１７】  濃度が０．１〜１０重量％のヘキサメタリン酸溶液と、８７〜１００％エタノールとを２：１〜９：１の体積比で混合し、析出したポリリン酸を反応液から分離することを特徴とする、平均鎖長６０〜７０のポリリン酸の濃縮分離方法。
【手続補正２】
【補正対象書類名】明細書
【補正対象項目名】０００８
【補正方法】変更
【補正の内容】
【０００８】
すなわち、本発明は以下の通りである。
[1]  少なくとも１つのポリリン酸とコラーゲンとが結合してなる、ポリリン酸−コラーゲン複合体。
但しこの複合体のポリリン酸は、一般式 (PnO3n+1)(n+2)-（式中、ｎは２〜５０００の整数を表す）で示される少なくとも１種のものであり得る。このポリリン酸は直鎖縮合ポリリン酸でもあり得る。該ポリリン酸は、上記式中のｎが２０〜２０００の整数であることがより好ましい。また、上記コラーゲンは好ましくはアテロコラーゲンである。さらに、上記複合体中のポリリン酸：コラーゲンの重量比は、０．１％：９９．９％〜２０％：８０％であることが好ましい。
[2]  上記[1]記載の複合体を含有する組織再生促進用医療材料。
[3]  上記[1]記載の複合体を含有する歯周病治療用医療材料。
[4]  濃度が０．５〜１０重量％のポリリン酸溶液と、濃度が０．１〜１０重量％のコラーゲン溶液とを混合し、生成される析出物を採取することを特徴とする、ポリリン酸−コラーゲン複合体の製造方法。
この方法における混合は、pH５．０〜８．０の条件下で行うことが好ましい。また、ここで用いるポリリン酸溶液は、ポリリン酸溶液が、一般式 Hn+2PnO3n+1（式中、ｎは２〜５０００の整数を表す）で示される少なくとも１種のポリリン酸又はその塩の溶液であり得る。該ポリリン酸は、上記式中のｎが好ましくは２０〜２０００の整数であるものであり得る。ポリリン酸溶液は、平均鎖長６０〜７０のポリリン酸又はその塩の溶液であってもよい。また、コラーゲン溶液に含まれるコラーゲンは水溶性コラーゲン、特にアテロコラーゲンであることが好ましい。さらに、製造されるポリリン酸−コラーゲン複合体のポリリン酸：コラーゲンの重量比が０．１％：９９．９％〜２０％：８０％であることが好ましい。
[5]  濃度が０．１〜１０重量％のヘキサメタリン酸溶液と、８７〜１００％エタノールとを２：１〜９：１の体積比で混合し、析出したポリリン酸を反応液から分離することを特徴とする、平均鎖長６０〜７０のポリリン酸の濃縮分離方法。ここで、「平均鎖長」とは、上記ｎの値の平均値を意味する。
【手続補正３】
【補正対象書類名】明細書
【補正対象項目名】００１２
【補正方法】変更
【補正の内容】
【００１２】
本発明のポリリン酸−コラーゲン複合体の製造においては、上記ポリリン酸イオンの供給源として、例えばオルトリン酸が脱水縮合して得られる直鎖縮合ポリリン酸（ヘキサメタリン酸を含む）、側鎖に有機基が導入された側鎖ポリリン酸若しくは環状ポリリン酸等のポリリン酸、及び／又はその塩の溶液を用いることができる。このようなポリリン酸は、一般式 Hn+2PnO3n+1 で表され、かつ式中のｎが少なくとも２以上の整数であって、好ましくは２〜5,000、より好ましくは５〜5,000、更に好ましくは15〜2,000、最も好ましくは20〜2,000である化合物であることが好ましい。中長鎖のポリリン酸を使用する場合には、上記一般式中のｎは、好ましくは20〜1,000、より好ましくは30〜500、さらに好ましくは50〜200、なお好ましくは60〜100である。より一般的には、本発明においてポリリン酸−コラーゲン複合体の製造に用いるポリリン酸は、重合したリン酸の個数が２〜5,000、好ましくは５〜5,000、より好ましくは15〜2,000、さらに好ましくは20〜2,000であることが好ましい。本発明において中長鎖のポリリン酸を使用する場合には、該ポリリン酸の重合したリン酸の個数は、好ましくは20〜1,000、より好ましくは30〜500、さらに好ましくは50〜200、なお好ましくは60〜100である。本発明において、「ポリリン酸の塩」とは、ポリリン酸の水酸基の水素が金属と置換した分子構造をした化合物であり、この場合の金属としては、例えば、ナトリウム、カリウム、カルシウム、マグネシウム等が挙げられる。